(57)【要約】【課題】半導体素子が作動する際に発する熱を大気中に効果的に放散できない。【解決手段】半導体素子１１の搭載部を有する放熱部材１と、その上面に取着された、配線導体６を有する絶縁枠体５と、その上面に搭載部を覆うように取着される蓋体１０とを具備する半導体素子収納用パッケージであって、放熱部材１は、タングステンまたはモリブデンと銅とのマトリクスから成る枠状の基体２の中央部にダイヤモンドおよび銀銅合金から成る貫通金属体３が埋設されているとともに、それらの上下面に銅層４が接合されている。また、貫通金属体３は、半導体素子１１の外周より基体２の厚み分大きい外周を有しているとよい。放熱部材１の熱伝導が良好であるため、半導体素子１１の発した熱を外部や大気中に良好に放散させることができる。【選択図】  図１
2004296726.tif 000002
【特許請求の範囲】
【請求項１】
タングステンまたはモリブデンと銅とのマトリクスから成る枠状の基体の中央部の上面から下面にかけてダイヤモンドおよび銀銅合金から成る貫通金属体が埋設されているとともに、前記基体および前記貫通金属体の上下面を覆ってそれぞれ銅層が接合されていることを特徴とする放熱部材。
【請求項２】
上面の中央部に半導体素子が搭載される搭載部を有する平板状の請求項１記載の放熱部材と、該放熱部材の上面に前記搭載部を取り囲んで取着された、内側の前記搭載部周辺から外表面に導出する複数の配線導体を有する絶縁枠体と、該絶縁枠体の上面に前記搭載部を覆うように取着される蓋体とから成ることを特徴とする半導体素子収納用パッケージ。
【請求項３】
上面の中央部に半導体素子が搭載される搭載部を有する平板状の請求項１記載の放熱部材と、該放熱部材の上面に前記搭載部を取り囲んで取着された、内側の前記搭載部周辺から外表面に導出する複数の配線導体を有する絶縁枠体とを具備し、前記放熱部材と前記絶縁枠体とからなる凹部に前記半導体素子を封止する封止樹脂が注入されることを特徴とする半導体素子収納用パッケージ。
【請求項４】
前記貫通金属体は、前記半導体素子の外周より前記基体の厚み分大きい外周を有していることを特徴とする請求項２または請求項３記載の半導体素子収納用パッケージ。
【請求項５】
請求項２または請求項４記載の半導体素子収納用パッケージの前記搭載部に半導体素子を搭載するとともに該半導体素子の電極と前記配線導体とを電気的に接続し、前記絶縁枠体の上面に前記搭載部を覆うように前記蓋体を取着して成ることを特徴とする半導体装置。
【請求項６】
請求項３または請求項４記載の半導体素子収納用パッケージの前記搭載部に半導体素子を搭載するとともに該半導体素子の電極と前記配線導体とを電気的に接続し、前記放熱部材と前記絶縁枠体とからなる前記凹部に前記搭載部を覆うように前記封止樹脂を注入して成ることを特徴とする半導体装置。
【発明の詳細な説明】
【０００１】
【発明の属する技術分野】
本発明は良好な放熱特性の放熱構造を有する放熱部材および半導体素子収納用パッケージおよびそれを用いた半導体装置に関するものである。
【０００２】
【従来の技術】
従来、半導体素子を収容するための半導体素子収納用パッケージは、一般に酸化アルミニウム質焼結体・ムライト質焼結体・ガラスセラミックス焼結体等の電気絶縁材料から成る絶縁枠体と、半導体素子が搭載されてその動作時に発生する熱を外部もしくは大気中に良好に放散させるための銅とタングステンとの合金材料または銅とモリブデンとの合金材料から成る放熱部材と蓋体とから構成されており、放熱部材の上面の半導体素子の搭載部を取り囲むように絶縁枠体が配置されているとともに、これら絶縁枠体および放熱部材によって形成される凹部の内側から外表面にかけて、タングステン・モリブデン・マンガン・銅・銀等から成る複数の配線導体が絶縁枠体に被着され導出されている。そして、放熱部材の上面の搭載部に半導体素子をガラス・樹脂・ロウ材等の接着剤を介して接着固定するとともに、この半導体素子の各電極をボンディングワイヤを介して配線導体に電気的に接続し、しかる後、絶縁枠体に蓋体をガラス・樹脂・ロウ材等から成る封止材を介して接合し、放熱部材と絶縁枠体と蓋体とから成る容器の内部に半導体素子を収容することによって製品としての半導体装置となる。この半導体装置は、さらに放熱効率を向上させるために、ねじ止め等によって外部放熱板に搭載される場合もある。
【０００３】
このようなタングステンと銅との合金材料等から成る放熱部材を具備した半導体素子収納用パッケージは、放熱部材の熱伝導率が高く、なおかつ放熱部材の熱膨張係数が半導体素子の構成材料であるシリコン・ガリウム砒素やパッケージの構成材料として使われるセラミック材料等と熱膨張係数が近似することから、パワーＩＣや高周波トランジスタ等の高発熱半導体素子を搭載する半導体素子収納用パッケージとして注目されている。
【０００４】
【特許文献１】
特開平９−３１２３６１号公報
【０００５】
【発明が解決しようとする課題】
近年、パワーＩＣや高周波トランジスタの高集積化に伴う発熱量の増大によって、現在では３００Ｗ／ｍ・Ｋ以上の熱伝導率を持つ放熱部材が求められている。しかしながら、前述のタングステンと銅との合金材料またはモリブデンと銅との合金材料から成る放熱部材の熱伝導率は２００Ｗ／ｍ・Ｋ程度とその要求に対して低いため、放熱特性が不十分になりつつあるという問題がある。
【０００６】
これに対し、タングステンと銅とがマトリクス状に構成された複合材料から成る放熱部材を用いることが提案されている。また、銅または銅合金の高熱伝導層と、Ｆｅ−Ｎｉ系合金の低熱膨張層が交互に積層され、低熱膨張層を挟み込む高熱伝導層が低熱膨張層に形成した複数の貫通孔を介して連続している複合材料から成る伝熱基板を用いることも提案されている（例えば、特許文献１参照。）。
【０００７】
しかしながら、このタングステンと銅とがマトリクス状に構成された複合材料から成る放熱部材を用いた半導体素子収納用パッケージでは、タングステンは熱伝導率・熱膨張係数が共に低く、銅は熱伝導率・熱膨張係数が共に高いため、銅の含有量を増加させるに従って放熱部材の熱伝導率・熱膨張率を共に増加させることができるものの、熱伝導率を向上させるために銅の含有量を増加させると、半導体素子と放熱部材との熱膨張係数の差が大きくなり、半導体素子を放熱部材に強固に接合することができなくなってしまうという問題が発生する。
【０００８】
また、銅または銅合金の高熱伝導層とＦｅ−Ｎｉ系合金の低熱膨張層とから成る複合材料から成る伝熱基板を用いる場合は、一般にＦｅ−Ｎｉ系合金は熱伝導率が低く（例えばＦｅ−４２Ｎｉ合金の場合であれば約１６Ｗ／ｍ・Ｋ）、基板の厚み方向の伝熱性が低いという問題があった。
【０００９】
加えて、銅または銅合金の高熱伝導層と、Ｆｅ−Ｎｉ系合金の低熱膨張層とが交互に積層され、低熱膨張層を挟み込む高熱伝導層が低熱膨張層に形成した複数の貫通孔を介して連続している複合材料の場合は、熱膨張率が異なる材料を複雑に配しているため、加熱時に基板が大きく反ってしまうという問題があった。
【００１０】
また、この複合材料から成る放熱部材を用いた半導体素子収納用パッケージでは、パッケージ組み立ての際の高温時に銅が膨張しかつ塑性変形を起こすため、冷却後に元の状態に戻らず、その結果、放熱部材の表面が粗くなるという問題が発生することがある。
【００１１】
一般に放熱部材の表面粗さは、半導体素子をガラス・樹脂・ロウ材等の接着剤を介して放熱部材に接着固定する際の接着剤中のボイド発生による放熱部材と半導体素子との接合強度の低下を防止するために、放熱部材の表面粗さを算術平均粗さＲａでＲａ≦３０μｍにすることが必要とされる。そのため、この複合材料から成る放熱部材を用いる場合は、表面粗さを算術平均粗さＲａでＲａ≦３０μｍにするために研摩によって表面を平滑にすることが行なわれるが、半導体素子の搭載部を取り囲むように絶縁枠体が取着されたパッケージでは、放熱部材の搭載部を研摩することができないという問題があった。
【００１２】
本発明は上記従来の技術における問題に鑑み案出されたものであり、その目的は、半導体素子収納用パッケージに用いることによって、半導体素子の発した熱を外部や大気中に良好に放散させることができ、かつ半導体素子を放熱部材に強固に接着させることが可能な放熱部材、ならびにその放熱部材を用いた半導体素子収納用パッケージおよびそれを用いた半導体装置を提供することにある。
【００１３】
【課題を解決するための手段】
本発明の放熱部材は、タングステンまたはモリブデンと銅とのマトリクスから成る枠状の基体の中央部の上面から下面にかけてダイヤモンドおよび銀銅合金から成る貫通金属体が埋設されているとともに、前記基体および前記貫通金属体の上下面を覆ってそれぞれ銅層が接合されていることを特徴とするものである。
【００１４】
また、本発明の第１の半導体素子収納用パッケージは、上面の中央部に半導体素子が搭載される搭載部を有する平板状の、上記構成の本発明の放熱部材と、この放熱部材の上面に前記搭載部を取り囲んで取着された、内側の前記搭載部周辺から外表面に導出する複数の配線導体を有する絶縁枠体と、この絶縁枠体の上面に前記搭載部を覆うように取着される蓋体とから成ることを特徴とするものである。
【００１５】
また、本発明の第２の半導体素子収納用パッケージは、上面の中央部に半導体素子が搭載される搭載部を有する平板状の、上記構成の本発明の放熱部材と、この放熱部材の上面に前記搭載部を取り囲んで取着された、内側の前記搭載部周辺から外表面に導出する複数の配線導体を有する絶縁枠体とを具備し、前記放熱部材と前記絶縁枠体とからなる凹部に前記半導体素子を封止する封止樹脂が注入されることを特徴とするものである。
【００１６】
また、本発明の半導体素子収納用パッケージは、上記構成の本発明の第１または第２の半導体素子収納用パッケージにおいて、前記貫通金属体は、前記半導体素子の外周より前記基体の厚み分大きい外周を有していることを特徴とするものである。
【００１７】
さらに、本発明の第１の半導体装置は、上記構成の本発明の第１の半導体素子収納用パッケージの前記搭載部に半導体素子を搭載するとともにこの半導体素子の電極と前記配線導体とを電気的に接続し、前記絶縁枠体の上面に前記搭載部を覆うように前記蓋体を取着して成ることを特徴とするものである。
【００１８】
また、本発明の第２の半導体装置は、上記構成の本発明の第２の半導体素子収納用パッケージの前記搭載部に半導体素子を搭載するとともにこの半導体素子の電極と前記配線導体とを電気的に接続し、前記放熱部材と前記絶縁枠体とからなる前記凹部に前記搭載部を覆うように前記封止樹脂を注入して成ることを特徴とするものである。
【００１９】
本発明の放熱部材によれば、タングステンまたはモリブデンと銅とのマトリクスから成る枠状の基体の中央部の上面から下面にかけてダイヤモンドおよび銀銅合金から成る貫通金属体が埋設されているとともに、基体および貫通金属体の上下面を覆ってそれぞれ銅層が接合されていることから、タングステンまたはモリブデンと銅とのマトリクスのみで形成された従来の放熱部材に比べて、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することができる。
【００２０】
その際、貫通金属体を、この放熱部材に搭載される半導体素子の外周より基体の厚み分大きい外周を有しているものとすることにより、半導体素子で発生した熱を上面の半導体素子の搭載部から下面へと垂直な方向により多く伝えることができるとともに、貫通金属体内においても半導体素子の大きさに対してその外周から外側へ基体の厚み分大きな範囲で水平な方向への熱の広がりを持たせることが可能となり、その結果、半導体素子が発生する熱をこの放熱部材を介して大気中あるいは外部放熱板に良好に放散することができる。
【００２１】
さらに、放熱部材の中央部に埋設された、基体の上面から下面にかけて貫通するダイヤモンドと銀銅合金から成る貫通金属体の上下面を、基体および貫通金属体の上下面にそれぞれこれらを覆って接合されている銅層と直接接合していることから、これら銅層とダイヤモンドおよび銀銅合金から成る貫通導体とにより放熱部材内における熱の伝達を極めて良好なものとすることができる。
【００２２】
また、貫通金属体は、それ自体の材質として熱膨張は大きいが、放熱部材を構成している貫通金属体以外の部分の基体についてはこの放熱部材に搭載される半導体素子の材料であるシリコン・ガリウム砒素等と同等な熱膨張率を有するタングステンまたはモリブデンと銅とのマトリクスから成ることから、半導体素子の搭載部の熱膨張は周囲の枠状の基体の熱膨張に規制されることとなり、放熱部材における銀銅合金中の銅の占める割合が多いにもかかわらず、半導体素子の搭載部の水平方向への熱膨張が抑制される。これらの結果、この放熱部材に搭載される半導体素子を長期間にわたり正常、かつ安定に搭載して作動させることが可能となる。
【００２３】
また、本発明の第１の半導体素子収納用パッケージによれば、上面の中央部に半導体素子が搭載される搭載部を有する平板状の、上記構成の本発明の放熱部材と、この放熱部材の上面に搭載部を取り囲んで取着された、内側の搭載部周辺から外表面に導出する複数の配線導体を有する絶縁枠体と、この絶縁枠体の上面に搭載部を覆うように取着される蓋体とから成ることから、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することが可能となり、半導体素子を長期間にわたり正常、かつ安定に搭載して作動させることが可能となる。
【００２４】
また、本発明の第２の半導体素子収納用パッケージによれば、上面の中央部に半導体素子が搭載される搭載部を有する平板状の、上記構成の本発明の放熱部材と、この放熱部材の上面に搭載部を取り囲んで取着された、内側の搭載部周辺から外表面に導出する複数の配線導体を有する絶縁枠体とを具備し、放熱部材と絶縁枠体とからなる凹部に半導体素子を封止する封止樹脂が注入されることから、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することが可能となり、半導体素子を長期間にわたり正常、かつ安定に搭載して作動させることが可能となる。
【００２５】
さらに、本発明の半導体素子収納用パッケージによれば、上記構成の本発明の第１または第２の半導体素子収納用パッケージにおいて、貫通金属体を、半導体素子の外周より放熱部材の基体の厚み分大きい外周を有しているものとしたときには、半導体素子に発生する熱が、搭載面に対して垂直面と同等に、搭載面に対して平面方向にも伝わるので、その結果、伝わる熱量が増加し、放熱部材の放熱性が向上して、半導体素子を長期間にわたり正常、かつ安定に搭載して作動させることが可能となる。
【００２６】
さらに、本発明の第１の半導体装置によれば、上記構成の本発明の第１の半導体素子収納用パッケージの搭載部に半導体素子を搭載するとともにこの半導体素子の電極と配線導体とを電気的に接続し、絶縁枠体の上面に搭載部を覆うように蓋体を取着して成ることから、以上のような本発明の第１の半導体素子収納用パッケージの特長を備えた、半導体素子の放熱部材への接合が強固で、放熱特性が極めて良好な、長期にわたって安定して半導体素子を作動させることができる半導体装置を提供することができる。
【００２７】
さらにまた、本発明の第２の半導体装置によれば、上記構成の本発明の第２の半導体素子収納用パッケージの搭載部に半導体素子を搭載するとともにこの半導体素子の電極と配線導体とを電気的に接続し、放熱部材と絶縁枠体とからなる凹部に搭載部を覆うように封止樹脂を注入して成ることから、以上のような本発明の第２の半導体素子収納用パッケージの特長を備えた、半導体素子の放熱部材への接合が強固で、放熱特性が極めて良好な、長期にわたって安定して半導体素子を作動させることができる半導体装置を提供することができる。
【００２８】
【発明の実施の形態】
次に、本発明を添付図面に基づき詳細に説明する。
【００２９】
図１は本発明の放熱部材を用いた本発明の半導体素子収納用パッケージおよびそれを用いた本発明の半導体装置の実施の形態の一例を示す断面図であり、本発明の第１の半導体素子収納用パッケージおよび半導体装置の例を示している。図１において、１は放熱部材、２は放熱部材１の基体、３は貫通金属体、４（４ａ・４ｂ）は銅層、５は絶縁枠体、６は配線導体、７はリード端子、１０は蓋体である。これら放熱部材１と絶縁枠体５と蓋体１０とで半導体素子１１を収納する半導体素子収納用パッケージ８が構成される。また、この放熱部材１の搭載部に半導体素子１１を搭載した後に、絶縁枠体５の上面に搭載部を覆うように蓋体１０を取着して封止することにより半導体装置１４が構成される。
【００３０】
絶縁枠体５は酸化アルミニウム質焼結体・ムライト質焼結体・ガラスセラミックス焼結体等から成り、ロウ材９を介して放熱部材１の上面に搭載部を取り囲んで接着固定されることにより取着される。なお、このロウ材９による接着固定に際しては、通常、ロウ付け用の金属層（図示せず）が絶縁枠体５の放熱部材１との接合部に形成される。
【００３１】
また、放熱部材１には、その上面の中央部の搭載部に半導体素子１１が樹脂・ガラス・ロウ材等の接着材１２を介して固定される。なお、接着剤１２としてロウ材を用いる場合には、ロウ付け用の金属層（図示せず）が放熱部材１の半導体素子１１との接着部に形成される。ただし、放熱部材１の貫通金属体３の上面に接合された銅層４（４ａ）により十分なロウ付けができる場合には、このロウ付け用の金属層は特に必要ではない。
【００３２】
絶縁枠体５は、例えば、酸化アルミニウム質焼結体から成る場合であれば、酸化アルミニウム・酸化珪素・酸化マグネシウム・酸化カルシウム等の原料粉末に適当な有機バインダ・溶剤・可塑剤・分散剤等を混合添加して泥奬状となすとともに、これからドクターブレード法やカレンダーロール法を採用することによってセラミックグリーンシート（セラミック生シート）を形成し、しかる後に、このセラミックグリーンシートに適当な打ち抜き加工を施すとともに、タングステン・モリブデン・マンガン・銅・銀・ニッケル・パラジウム・金等の金属材料粉末に適当な有機バインダ・溶剤を混合して成る導電性ペーストをグリーンシートに予めスクリーン印刷法等により所定パターンに印刷塗布した後に、このグリーンシートを複数枚積層し、約１６００℃の温度で焼成することによって作製される。
【００３３】
また、絶縁枠体５には、放熱部材１と絶縁枠体５とで構成される凹部５ａの内側の搭載部周辺から絶縁枠体５の外表面にかけて導出する配線導体６が形成されており、配線導体６の凹部５ａの内側の一端には半導体素子１１の各電極がボンディングワイヤ１３を介して電気的に接続される。
【００３４】
配線導体６はタングステン・モリブデン等の高融点金属から成り、タングステン・モリブデン等の金属粉末に適当な有機バインダ・溶剤等を添加混合して得た金属ペーストを絶縁枠体５となるセラミックグリーンシートに予めスクリーン印刷法等によって所定のパターンに印刷塗布しておくことによって、絶縁基体１および放熱部品５による凹部５ａの内側の搭載部周辺から絶縁枠体５の外表面にかけて被着形成される。
【００３５】
また、配線導体６はその露出する表面にニッケル・金等の耐食性に優れ、かつボンディングワイヤ１３のボンディング性に優れる金属を１〜２０μｍの厚みにメッキ法によって被着させておくと、配線導体６の酸化腐食を有効に防止できるとともに配線導体６へのボンディングワイヤ１３の接続を強固となすことができる。従って、配線導体６は、その露出する表面にニッケル・金等の耐食性に優れ、かつボンディング性に優れる金属を１〜２０μｍの厚みに被着させておくことが望ましい。
【００３６】
放熱部材１は、半導体素子１１の作動に伴い発生する熱を吸収するとともに大気中に放散させる、あるいは外部放熱板に伝導させる機能を有する。例えば、平均粒径が５〜４０μｍのタングステン粉末またはモリブデン粉末を、枠状に加圧成形し、これを１３００〜１６００℃の雰囲気中で焼結させることで、１０〜５０質量％の銅を含浸させて得た後に、基体２の中央部の上面から下面にかけて貫通金属体３を形成するための枠形状の穴開け加工を行なう。半導体素子１１の搭載部に上面から下面にかけて形成された枠形状に、ダイヤモンド粒子および銀銅合金粉末を所定量充填し、これを真空雰囲気下にて８００〜１０００℃の温度で焼成して焼結させることで、単一の貫通導体を持つ、タングステンまたはモリブデンと銅とのマトリクスから成る枠状の基体２と、基体２の中央部の上面から下面にかけて埋設されたダイヤモンドおよび銀銅合金から成る貫通金属体３と、基体２および貫通金属体３の上面を覆って接合された銅層４ａならびに基体２および貫通金属体３の下面に接合された銅層４ｂとから成る放熱部材１が形成される。
【００３７】
ここで、貫通金属体３を構成するダイヤモンドおよび銀銅合金は、ダイヤモンドと銀銅合金の構成比率が、ダイヤモンドが６０〜４０質量％、銀銅合金が４０〜６０質量％であることが好ましい。ダイヤモンドの構成比率が６０質量％より多い場合には、ダイヤモンドの粒子間を埋める銀銅合金成分が不足してしまい、貫通金属体３の内部にダイヤモンドと銀銅合金の接合が不十分な部分が発生し、充分な緻密体を得ることができなくなり、その結果、半導体素子１１で発生した熱を効率良く貫通金属体３の内部を伝熱させることが困難となる傾向がある。また、ダイヤモンドの構成比率が４０質量％より少ない場合には、貫通金属体３の内部は充分な緻密体が得られるが、貫通金属体３の熱伝導率は銀銅合金の熱伝導率に大きく依存して低下してしまい、その結果、半導体素子１１で発生した熱を効率良く貫通導体３の内部を伝熱させることが困難となる傾向がある。
【００３８】
本発明における放熱部材１は、前記構成比率でダイヤモンドと銀銅合金とを所定量計量した後、これらを混合した粉末を、タングステンまたはモリブデンと銅とのマトリクスから成る枠状の基体２に充填加圧し、その基体２の上下面を銅層４ａおよび銅層４ｂで挟み、還元雰囲気下にて７８０℃〜９００℃の温度で焼結させることによって得られる。このとき、放熱部材１は、ダイヤモンドの周囲を銀銅合金がマトリクスとして埋めて緻密な構造を有しており、ダイヤモンドの高熱伝導率を効率良く発揮させて利用することができ、貫通金属体３の熱伝導率が充分に高いので、半導体素子１１で発生した熱を効率良く大気中に放熱させることができる。
【００３９】
銅層４の内、半導体素子１１の搭載部となる放熱部材１の上面側の銅層４ａは、その上面の算術平均粗さＲａがＲａ＞３０（μｍ）の場合は、半導体素子１１をガラス・樹脂・ロウ材等の接着剤１２を介して接着固定する際に、接着剤１２中にボイドが発生することがあり、接着剤１２中に発生したボイドは半導体素子１１と放熱部材１との接合強度を低下させるだけでなく、半導体素子１１と放熱部材１との間の熱伝達を阻害し、半導体素子収納用パッケージ８および半導体装置１４の熱放散性を低下させるおそれがある。
【００４０】
従って、半導体素子１１の搭載部となる基体２の上面の銅層４ａは、算術平均粗さＲａがＲａ≦３０（μｍ）で表面が平滑であることが好ましい。
【００４１】
貫通金属体３は、図２に放熱部材１を搭載部側から見た場合の基体２の平面図を示すように、半導体素子１１の外周より基体２の厚みＴ分大きい外周、すなわち半導体素子１１の外周からその全周にわたって外側に基体２の厚みＴの距離を隔てた外周を有するように形成されている。一般的に、等方性材料の場合には、熱は平面方向および垂直方向ともに同等に伝わるので、結果として、４５度程度の広がりをもって伝わることになる。従って、貫通金属体３は、貫通金属体３と半導体素子１１の搭載部の領域とのなす角度１５として４５度程度を確保するために、半導体素子１１の外周より基体２の厚みＴ分大きい外周を有することが望ましい。
【００４２】
一方、半導体素子１１が搭載される上面とは反対側の基体２および貫通金属体３の下面に接合された銅層４ｂの下面の算術平均粗さＲａは、Ｒａ≦３０（μｍ）であることが好ましい。本発明の第１の半導体素子収納用パッケージ８は、アルミニウムや銅等の導体あるいは、高熱伝導を有するセラミック体から成る支持基板へネジ止めにより、またははんだ等の溶融金属・ロウ材を用いることにより接続される場合がある。このとき、銅層４ｂの下面の算術平均粗さＲａがＲａ＞３０（μｍ）の場合には、半導体素子収納用パッケージ８と支持基板とを十分に密着させることが困難となり、両者の間に空隙やボイドが発生してしまい、その結果、半導体素子７で発生した熱を半導体素子収納用パッケージ８からこの支持基板へ効率良く伝達させることができなくなるおそれがある。したがって、下面の銅層４ｂの外側表面となる下面は、支持基板との良好な密着性が得られるように算術平均粗さＲａがＲａ≦３０（μｍ）と平滑であることが望ましい。
【００４３】
銅層４（４ａ・４ｂ）の厚みは、それぞれ８００μｍより厚くなると基体２と銅層４（４ａ・４ｂ）との熱膨張差によって発生する応力が大きくなり十分な接合強度が得られない傾向があることから、８００μｍ以下としておくことが望ましい。また、銅層４（４ａ・４ｂ）の厚みが５０μｍ以上であれば、半導体素子１１の作動に伴い発生する熱が銅層４（４ａ・４ｂ）の平面方向に十分広がるので、放熱部材１の熱放散性は良好なものとなる。
【００４４】
なお、放熱部材１の基体２および貫通金属体３の上下面に接合される銅層４（４ａ・４ｂ）の材料は、純銅に限られるものではなく、熱伝導性が良好でタングステンまたはモリブデンと銅とのマトリックスである基体２および銅から成る貫通金属体３と十分な接合強度が得られるものであれば、銅を主成分とする各種の銅合金であっても構わない。
【００４５】
かくして、上述の本発明の第１の半導体素子収納用パッケージ８によれば、放熱部材１の搭載部上に半導体素子１１をガラス・樹脂・ロウ材等から成る接着剤１２を介して接着固定するとともに、半導体素子１１の各電極をボンディングワイヤ１３を介して所定の配線導体６に電気的に接続し、しかる後に、絶縁枠体５の上面に搭載部を覆うように蓋体１０を取着して凹部５ａ内に半導体素子１１を封止することによって、製品としての本発明の第１の半導体装置１４となる。
【００４６】
次に、図３は本発明の放熱部材を用いた本発明の半導体素子収納用パッケージおよびそれを用いた本発明の半導体装置の実施の形態の他の例を示す断面図であり、本発明の第２の半導体素子収納用パッケージおよび半導体装置の例を示している。図３において、２１は絶縁枠体、２２は封止樹脂、２３は放熱部材である。この絶縁枠体２１と封止樹脂２２と放熱部材２３とで、半導体素子２７を収納する本発明の第２の半導体素子収納用パッケージ２８が構成される。また、この放熱部材２３の搭載部に半導体素子２７を搭載した後に、絶縁枠体２１と放熱部材２３とからなる凹部にエポキシ等の封止樹脂２２を注入して半導体素子２７を封止することにより、本発明の半導体装置３４が構成される。
【００４７】
なお、この第２の半導体素子収納用パッケージ２８および第２の半導体装置３３において、絶縁枠体２１，放熱部材２３，半導体素子２７は、それぞれ前述の絶縁枠体５，放熱部材１，半導体素子１１と同様である。
【００４８】
絶縁枠体２１はロウ材２９を介して放熱部材２３に接着固定されて取着される。また、放熱部材２３には、その上面の中央部の搭載部に半導体素子２７が接着剤３０を介して接着固定される。
【００４９】
また、絶縁枠体２１には、絶縁枠体２１と放熱部材２３とで構成される凹部２１ａから絶縁枠体２１の外表面にかけて導出する配線導体３１が形成されており、配線導体３１の一端には半導体素子２７の各電極がボンディングワイヤ３２を介して電気的に接続される。
【００５０】
放熱部材２３は、半導体素子２７の作動に伴い発生する熱を吸収するとともに大気中に放散させる機能を有し、タングステンまたはモリブデンおよび銅のマトリクスから成る基体２４に貫通金属体２５が埋設され、その上下面に銅層２６（２６ａ・２６ｂ）が接合されることにより、本発明の第２の半導体素子収納用パッケージ２８における放熱部材２３が形成されている。
【００５１】
ここで、ダイヤモンドおよび銀銅合金から成る貫通金属体２３は、ダイヤモンドと銀銅合金の構成比率が、ダイヤモンドが６０〜４０質量％、銀銅合金が４０〜６０質量％であることが好ましい。ダイヤモンドの構成比率が６０質量％より多い場合には、ダイヤモンドの粒子間を埋める銀銅合金成分が不足してしまい、貫通金属体２３の内部にダイヤモンドと銀銅合金の接合が不十分な部分が発生し、充分な緻密体を得ることができなくなり、半導体素子２７で発生した熱を効率良く貫通金属体２３の内部を伝熱させることが困難となる傾向がある。また、ダイヤモンドの構成比率が４０質量％より少ない場合には、貫通金属体２３の内部は充分な緻密体が得られるが、貫通金属体２３の熱伝導率は銀銅合金の熱伝導率に大きく依存して低下してしまい、その結果、半導体素子２７で発生した熱を効率良く貫通導体２３の内部を伝熱させることが困難となる傾向がある。
【００５２】
本発明における放熱部材１は、前記構成比率でダイヤモンドと銀銅合金とを所定量計量した後、これらを混合した粉末を、タングステンまたはモリブデンと銅とのマトリクスから成る枠状の基体２４に充填加圧し、その基体２４の上下面を銅層２６ａおよび銅層２６ｂで挟み、還元雰囲気下にて７８０℃〜９００℃の温度で焼結させることによって得られる。このとき、放熱部材１は、ダイヤモンドの周囲を銀銅合金がマトリクスとして埋めて緻密な構造を有しており、ダイヤモンドの高熱伝導率を効率良く発揮させて利用することができ、貫通金属体２３の熱伝導率が充分に高いので、半導体素子２７で発生した熱を効率良く大気中に放熱させることができる。
【００５３】
この放熱部材２３においても、銅層２６（２６ａ）の内、半導体素子２７が搭載される上面の中央部は、算術平均粗さＲａが０．０５≦Ｒａ≦３０（μｍ）になるように、例えば研磨されており、銅層２６ａと封止樹脂２２との接合強度を良好なものとするとともに、半導体素子収納用パッケージ２８と支持基板とを十分に密着させて、半導体素子２７で発生した熱を半導体素子収納用パッケージ２８からこの支持基板へ効率良く伝達させることができるものとされている。
【００５４】
この貫通金属体２５も、図４に放熱部材２３を搭載部側から見た場合の基体２４の平面図を示すように、半導体素子２７の外周より放熱部材２３の基体２４の厚みＴ分大きい外周、すなわち半導体素子２７の外周からその全周にわたって外側に放熱部材２３の厚みＴの距離を隔てた外周を有するように形成されている。
【００５５】
銅層２６（２６ａ・２６ｂ）の厚みも、マトリクスから成る基体２４と銅層２６（２６ａ・２６ｂ）との十分な接合強度が得られるように、８００μｍ以下としておくことが望ましい。また、銅層２６ａの厚みが５０μｍ以上であれば、半導体素子２７の作動に伴い発生する熱が銅層２６ａの平面方向に十分広がるので、放熱部材２３の熱放散性はさらに向上する。
【００５６】
なお、放熱部材２３の上下面に接合される銅層２６（２６ａ・２６ｂ）の材料も、純銅に限られるものではなく、熱伝導性が良好でタングステンまたはモリブデンおよび銅のマトリックスから成る基体２４と十分な接合強度が得られるものであれば、銅を主成分とする各種の銅合金であっても構わない。
【００５７】
また、放熱部材２３の上下面に接合される銅層２６（２６ａ・２６ｂ）も、少なくとも貫通金属体２５が埋設されている部位の上下面、例えば半導体素子２７の搭載部および外部放熱板との接合部に形成されれば十分であり、必ずしも放熱部材２３の上下面の全面を覆う必要はない。
【００５８】
かくして、本発明の第２の半導体素子収納用パッケージ２８によれば、放熱部材２３の搭載部上に半導体素子２７をガラス・樹脂・ロウ材等から成る接着剤３０を介して接着固定するとともに、半導体素子２７の各電極をボンディングワイヤ３２を介して所定の配線導体３１に接続させ、必要に応じて配線導体３１に取着された外部リード端子３３に電気的に接続して導出し、しかる後に、放熱部材２３と絶縁枠体２１とにより形成される凹部２１ａに封止樹脂２２を注入して半導体素子２７を封止し、凹部２１ａ内に半導体素子２７を収容することによって、製品としての本発明の第２の半導体装置３４となる。
【００５９】
なお、本発明は以上の実施の形態の例に限定されるものではなく、本発明の要旨を逸脱しない範囲であれば種々の変更が可能である。例えば、半導体素子１１・２７で発生した熱を放熱部材１・２３から大気中に効率良く放散させるために、放熱部材１・２３の基体２・２４および貫通金属体３・２５の下面に接合された銅層４ｂ・２６ｂに、放熱フィンを接続したり、放熱フィンをロウ付け等で接合して放熱フィンが放熱部材１・２３と一体化した形状としてもよく、これによって、半導体素子１１・２７の作動に伴い発生する熱を放熱部材１・２３により吸収するとともに大気中に放散させる作用をさらに向上することができる。
【００６０】
【発明の効果】
本発明の放熱部材によれば、タングステンまたはモリブデンと銅とのマトリクスから成る枠状の基体の中央部の上面から下面にかけてダイヤモンドおよび銀銅合金から成る貫通金属体が埋設されているとともに、基体および貫通金属体の上下面を覆ってそれぞれ銅層が接合されていることから、タングステンまたはモリブデンと銅とのマトリクスのみで形成された従来の放熱部材に比べて、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することができる。
【００６１】
その際、貫通金属体を、この放熱部材に搭載される半導体素子の外周より基体の厚み分大きい外周を有しているものとすることにより、半導体素子で発生した熱を上面の半導体素子の搭載部から下面へと垂直な方向により多く伝えることができるとともに、貫通金属体内においても半導体素子の大きさに対してその外周から外側へ基体の厚み分大きな範囲で水平な方向への熱の広がりを持たせることが可能となり、その結果、半導体素子が発生する熱をこの放熱部材を介して大気中あるいは外部放熱板に良好に放散することができる。
【００６２】
さらに、放熱部材の中央部に埋設された、基体の上面から下面にかけて貫通するダイヤモンドと銀銅合金から成る貫通金属体の上下面を、基体および貫通金属体の上下面にそれぞれこれらを覆って接合されている銅層と直接接合していることから、これら銅層とダイヤモンドおよび銀銅合金から成る貫通導体とにより放熱部材内における熱の伝達を極めて良好なものとすることができる。
【００６３】
また、貫通金属体は、それ自体の材質として熱膨張は大きいが、放熱部材を構成している貫通金属体以外の部分の基体についてはこの放熱部材に搭載される半導体素子の材料であるシリコン・ガリウム砒素等と同等な熱膨張率を有するタングステンまたはモリブデンと銅とのマトリクスから成ることから、半導体素子の搭載部の熱膨張は周囲の枠状の基体の熱膨張に規制されることとなり、放熱部材における銀銅合金中の銅の占める割合が多いにもかかわらず、半導体素子の搭載部の水平方向への熱膨張が抑制される。これらの結果、この放熱部材に搭載される半導体素子を長期間にわたり正常、かつ安定に搭載して作動させることが可能となる。
【００６４】
また、本発明の第１の半導体素子収納用パッケージによれば、上面の中央部に半導体素子が搭載される搭載部を有する平板状の、上記構成の本発明の放熱部材と、この放熱部材の上面に搭載部を取り囲んで取着された、内側の搭載部周辺から外表面に導出する複数の配線導体を有する絶縁枠体と、この絶縁枠体の上面に搭載部を覆うように取着される蓋体とから成ることから、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することが可能となり、半導体素子を長期間にわたり正常、かつ安定に搭載して作動させることが可能となる。
【００６５】
また、本発明の第２の半導体素子収納用パッケージによれば、上面の中央部に半導体素子が搭載される搭載部を有する平板状の、上記構成の本発明の放熱部材と、この放熱部材の上面に搭載部を取り囲んで取着された、内側の搭載部周辺から外表面に導出する複数の配線導体を有する絶縁枠体とを具備し、放熱部材と絶縁枠体とからなる凹部に半導体素子を封止する封止樹脂が注入されることから、半導体素子の下部に、ダイヤモンドおよび銀銅合金から成る高熱伝導部分を配置することによって、半導体素子で発生した熱を半導体素子の搭載面に垂直な方向により多く伝えることができ、その結果、半導体素子に発生する熱をこの放熱部材を介して大気中に良好に放熱することが可能となり、半導体素子を長期間にわたり正常、かつ安定に搭載して作動させることが可能となる。
【００６６】
さらに、本発明の半導体素子収納用パッケージによれば、上記構成の本発明の第１または第２の半導体素子収納用パッケージにおいて、貫通金属体を、半導体素子の外周より放熱部材の基体の厚み分大きい外周を有しているものとしたときには、半導体素子に発生する熱が、搭載面に対して垂直面と同等に、搭載面に対して平面方向にも伝わるので、その結果、伝わる熱量が増加し、放熱部材の放熱性が向上して、半導体素子を長期間にわたり正常、かつ安定に搭載して作動させることが可能となる。
【００６７】
さらに、本発明の第１の半導体装置によれば、上記構成の本発明の第１の半導体素子収納用パッケージの搭載部に半導体素子を搭載するとともにこの半導体素子の電極と配線導体とを電気的に接続し、絶縁枠体の上面に搭載部を覆うように蓋体を取着して成ることから、以上のような本発明の第１の半導体素子収納用パッケージの特長を備えた、半導体素子の放熱部材への接合が強固で、放熱特性が極めて良好な、長期にわたって安定して半導体素子を作動させることができる半導体装置を提供することができる。
【００６８】
さらにまた、本発明の第２の半導体装置によれば、上記構成の本発明の第２の半導体素子収納用パッケージの搭載部に半導体素子を搭載するとともにこの半導体素子の電極と配線導体とを電気的に接続し、放熱部材と絶縁枠体とからなる凹部に搭載部を覆うように封止樹脂を注入して成ることから、以上のような本発明の第２の半導体素子収納用パッケージの特長を備えた、半導体素子の放熱部材への接合が強固で、放熱特性が極めて良好な、長期にわたって安定して半導体素子を作動させることができる半導体装置を提供することができる。
【００６９】
以上により、本発明によれば、半導体素子収納用パッケージに用いることによって、半導体素子の発した熱を外部や大気中に良好に放散させることができ、かつ半導体素子を放熱部材に強固に接着させることが可能な放熱部材、ならびにその放熱部材を用いた半導体素子収納用パッケージおよびそれを用いた半導体装置を提供することができた。
【図面の簡単な説明】
【図１】本発明の半導体素子収納用パッケージおよびそれを用いた本発明の半導体装置の実施の形態の一例を示す断面図である。
【図２】本発明の放熱部材１を搭載部側から見た場合の基体２の平面図である。
【図３】本発明の半導体素子収納用パッケージおよびそれを用いた本発明の半導体装置の実施の形態の他の例を示す断面図である。
【図４】本発明の放熱部材２３を搭載部側から見た場合の基体２４の平面図である。
【符号の説明】
１、２３・・・・・放熱部材
２、２４・・・・・基体
３、２５・・・・・貫通金属体
４、４ａ、４ｂ、２６、２６ａ、２６ｂ・・・・・銅層
５、２１・・・・・絶縁枠体
５ａ、２１ａ・・・・・凹部
６、３１・・・・・配線導体
７、３３・・・・・リード端子
８、２８・・・・・半導体素子収納用パッケージ
９、２９・・・・・ロウ材
１０・・・・・蓋体
１１、２７・・・・・半導体素子
１２、３０・・・・・接着材
１３、３２・・・・・ボンディングワイヤ
１４、３４・・・・・半導体装置
１５・・・・・貫通金属体と半導体素子の搭載部の領域とのなす角度
２２・・・・・封止樹脂
【図１】
2004296726.tif 000003
【図２】
2004296726.tif 000004
【図３】
2004296726.tif 000005
【図４】
2004296726.tif 000006